(57)【要約】      （修正有）【課題】ＩＣ付き包装容器を搬送している際に、包装容器同士が衝突したり、他物が当たったりした場合でも、ＩＣチップ自体は確実に保護することができるＩＣタグ付包装容器を提供する。【解決手段】メモリ等のＩＣチップと、ＩＣチップに接続したアンテナと、アンテナ及びＩＣチップを被覆する被覆体とを具備するＩＣタグを、包装容器に取り付けると共に、少なくともＩＣチップは包装容器の内方に位置させて取り付けた。その結果、ＩＣチップに予め書き込んだ包装容器内の商品に関する貴重な固有情報を、読取装置により読み取ることができて、包装容器内の商品のトレーサビリティ等を行うことができる。【選択図】図１
0003106148.tif 000002
【実用新案登録請求の範囲】
【請求項１】
メモリ等のＩＣチップと、同ＩＣチップに接続したアンテナと、同アンテナ及びＩＣチップを被覆する被覆体とを具備するＩＣタグを、包装容器に取り付けると共に、少なくとも上記ＩＣチップは包装容器の内方に位置させて取り付けたことを特徴とするＩＣタグ付き包装容器。
【請求項２】
包装容器は、少なくとも上面開口箱型の容器本体を具備し、同容器本体の側壁の上端部に、折り返し状に屈曲させて形成したＩＣタグを嵌合させて取り付けたことを特徴とする請求項１記載のＩＣタグ付き包装容器。
【請求項３】
包装容器は、上面開口箱型の容器本体と、同容器本体の上面開口部を開閉自在に閉蓋する蓋体とを具備し、同蓋体の側端縁部に、折り返し状に屈曲させて形成したＩＣタグを嵌合させて取り付けたことを特徴とする請求項１記載のＩＣタグ付き包装容器。
【請求項４】
折り返し状に屈曲させて形成したＩＣタグの先端部には、楔状の係止片を設けると共に、同係止片は容器本体ないしは蓋体に食い込ませて係止させるようにしたことを特徴とする請求項２又は３記載のＩＣタグ付き包装容器。
【請求項５】
包装容器は、少なくとも上面開口箱型の容器本体を具備し、同容器本体内にシート状の覆い体を配置し、同覆い体の略中央部にＩＣタグを取り付けたことを特徴とする請求項１記載のＩＣタグ付き包装容器。
【考案の詳細な説明】
【技術分野】
【０００１】
本考案は、ＩＣタグ付き包装容器に関する。
【背景技術】
【０００２】
従来、ＩＣタグ付き包装容器の一形態として、鶏卵の包装容器の蓋部の上面にＩＣタグを取り付けると共に、同ＩＣタグには鶏卵の固有情報である生産地やサイズや賞味期限等を書き込んでおき、同書き込み情報を読取装置により読み取ることができるようにしたものがある（例えば、特許文献１参照）。
【特許文献１】特開２００３−３２５０７４号公報
【考案の開示】
【考案が解決しようとする課題】
【０００３】
ところが、上記したＩＣタグ付き包装容器は、蓋部の上面にＩＣタグを取り付けているため、同ＩＣタグ付き包装容器を搬送中に同ＩＣタグの一部を構成するメモリ等のＩＣチップに他物があたって、同ＩＣチップが損傷等されて、読取装置による書き込み情報の読み取りができないという不慮の事故が生じる虞がある。
【課題を解決するための手段】
【０００４】
そこで、本考案では、メモリ等のＩＣチップと、同ＩＣチップに接続したアンテナと、同アンテナ及びＩＣチップを被覆する被覆体とを具備するＩＣタグを、包装容器に取り付けると共に、少なくとも上記ＩＣチップは包装容器の内方に位置させて取り付けたことを特徴とするＩＣタグ付き包装容器を提供するものである。
【０００５】
また、本考案は、以下の構成にも特徴を有する。
【０００６】
（１）包装容器は、少なくとも上面開口箱型の容器本体を具備し、同容器本体の側壁の上端部に、折り返し状に屈曲させて形成したＩＣタグを嵌合させて取り付けたこと。
【０００７】
（２）包装容器は、上面開口箱型の容器本体と、同容器本体の上面開口部を開閉自在に閉蓋する蓋体とを具備し、同蓋体の側端縁部に、折り返し状に屈曲させて形成したＩＣタグを嵌合させて取り付けたこと。
【０００８】
（３）折り返し状に屈曲させて形成したＩＣタグの先端部には、楔状の係止片を設けると共に、同係止片は容器本体ないしは蓋体に食い込ませて係止させるようにしたこと。
【０００９】
（４）包装容器は、少なくとも上面開口箱型の容器本体を具備し、同容器本体内にシート状の覆い体を配置し、同覆い体の略中央部にＩＣタグを取り付けたこと。
【考案の効果】
【００１０】
(１)請求項１記載の本考案では、メモリ等のＩＣチップと、同ＩＣチップに接続したアンテナと、同アンテナ及びＩＣチップを被覆する被覆体とを具備するＩＣタグを、包装容器に取り付けると共に、少なくとも上記ＩＣチップは包装容器の内方に位置させて取り付けている。
【００１１】
このようにして、少なくともＩＣチップは、包装容器の内方に位置させて取り付けているため、ＩＣ付き包装容器を搬送している際に、包装容器同士が衝突したり、他物が当ったりした場合でも、ＩＣチップ自体は確実に保護することができる。
【００１２】
その結果、ＩＣチップに予め書き込んだ包装容器内の商品に関する貴重な固有情報を、読取装置により読み取ることができて、包装容器内の商品のトレーサビリティ等を行うことができる。
【００１３】
（２）請求項２記載の本考案では、包装容器は、少なくとも上面開口箱型の容器本体を具備し、同容器本体の側壁の上端部に、折り返し状に屈曲させて形成したＩＣタグを嵌合させて取り付けている。
【００１４】
このようにして、容器本体の側壁の上端部にＩＣタグを嵌合させて取り付けることができるため、特別に大掛かりな取付装置を必要とすることなく、手作業でも容易に取り付けることができる。
【００１５】
従って、既存の容器本体にＩＣタグを必要に応じて適宜取り付けることができると共に、ドライバー等の工具を用いることによりＩＣタグを容器本体から容易に取り外すこともできて、同ＩＣタグを再使用することができる。その結果、ＩＣ付き包装容器の製造コストの削減を図ることができる。
【００１６】
（３）請求項３記載の本考案では、包装容器は、上面開口箱型の容器本体と、同容器本体の上面開口部を開閉自在に閉蓋する蓋体とを具備し、同蓋体の側端縁部に、折り返し状に屈曲させて形成したＩＣタグを嵌合させて取り付けている。
【００１７】
このようにして、蓋体の側端縁部にＩＣタグを嵌合させて取り付けることができるため、特別に大掛かりな取付装置を必要とすることなく、手作業でも容易に取り付けることができる。
【００１８】
従って、既存の蓋体にＩＣタグを必要に応じて適宜取り付けることができると共に、工具等を用いることによりＩＣタグを蓋体から容易に取り外すこともできて、同ＩＣタグを再使用することができる。その結果、ＩＣ付き包装容器の製造コストの削減を図ることができる。
【００１９】
（４）請求項４記載の本考案では、折り返し状に屈曲させて形成したＩＣタグの先端部には、楔状の係止片を設けると共に、同係止片は容器本体ないしは蓋体に食い込ませて係止させるようにしている。
【００２０】
このようにして、ＩＣタグの先端部に設けた楔状の係止片を、容器本体ないしは蓋体に食い込ませて係止させるようにしているため、同ＩＣタグを係止片を介して容器本体ないしは蓋体に確実に取り付けることができる。
【００２１】
例えば、容器本体ないしは蓋体が発泡スチロールにより成形されている場合には、係止片を押し込むだけで係止させることができるため、ＩＣタグの確実な取り付けが係止片を介して容易に行える。
【００２２】
（５）請求項５記載の本考案では、包装容器は、少なくとも上面開口箱型の容器本体を具備し、同容器本体内にシート状の覆い体を配置し、同覆い体の略中央部にＩＣタグを取り付けている。
【００２３】
このようにして、包装容器内に収容した商品の上面をシート状の覆い体により覆うことにより、同覆い体の略中央部に取り付けたＩＣタグを包装容器内の所要の位置に配置することができる。
【００２４】
その結果、ＩＣタグのＩＣチップに予め書き込んだ包装容器内の商品に関する貴重な固有情報を、読取装置により確実に読み取ることができて、包装容器内の商品のトレーサビリティ等を行うことができる。
【考案を実施するための最良の形態】
【００２５】
図１に示すＡは、本考案に係る第１実施形態としてのＩＣタグ付き包装容器（以下、「包装容器」と略称する）であり、以下に、同包装容器Ａの構成について、図1〜図５を参照しながら説明する。
【００２６】
〔第１実施形態としての包装容器Ａの説明〕
第１実施形態としての包装容器Ａは、上面開口箱型に形成した容器本体１と、同容器本体１の上面開口部２を開閉自在に閉蓋する蓋体３と、上記容器本体１の側壁1aの上端部1bに嵌合させて取り付けたＩＣタグ４とを具備している。1cは、容器本体１の内周面上部に形成した嵌合用段付き凹部、3aは、蓋体３の内面に形成して上記嵌合用段付き凹部1cと嵌合する嵌合用段付き凸部である。
【００２７】
ここで、容器本体１と蓋体３は、発泡スチロール等の合成樹脂により成形している。
【００２８】
ＩＣタグ４は、図２に示すように、メモリ等のＩＣチップ５と、同ＩＣチップ５に接続したアンテナ６と、同アンテナ６及びＩＣチップ５を被覆する被覆体７とを具備している。
【００２９】
そして、被覆体７は、合成樹脂により四角形の薄肉シート状ないしはフィルム状に形成すると共に、中央部片7aを左右一定幅（本実施の形態では容器本体１の側壁1aの上端部1bの幅）だけ残して、左・右側部片7b,7cをそれぞれ90度折曲させることにより、両左・右側部片7b,7cが対向する折返し状態となし、各左・右側部片7b,7cの前後先端部には、楔状の係止片7d,7dを一体成形して設けている。
【００３０】
しかも、左・右側部片7b,7cには弾性力を付与しており、両左・右側部片7b,7cは、弾性力に抗して相互に離隔させる方向に変位させることができるようにしている。
【００３１】
ここで、ＩＣタグ４は、上記左側片7bの略中央部にＩＣチップ５を配置すると共に、同ＩＣチップ５に導電回路（図示せず）を介してアンテナ６を接続しており、同アンテナ６は、被覆体７の周縁部、すなわち、中央部片7aと左・右側部片7b,7cの側縁部に沿わせて渦巻き状に配置して、上記ＩＣチップ５への情報データの書き込み記録や、記録した情報データをＩＣチップ５から読み出す動作電力を供給するための誘導起電力を発生させるようにしている。
【００３２】
そして、かかるＩＣタグ４に対して、情報端末機（図示せず）に接続した読取装置（リーダー）８より電波による読み出し信号を発信して、アンテナ６に誘導起電力による読み出し信号を生じさせ、ＩＣチップ５に予め書き込み記録されている情報データを読み出すことができるようにしている。
【００３３】
また、予め書き込み記録されている情報データは、包装容器Ａ内の商品に関する貴重な固有情報であり、例えば、商品名称、原産地名、漁獲日、漁業組合名、住所、電話番号、賞味期限、調理レシピ、お知らせ情報等である。
【００３４】
このようにして、ＩＣタグ４を、包装容器Ａに取り付ける際には、同包装容器Ａの側壁1aの上端部1bにＩＣタグ４を上方から嵌合させて取り付けることができるため、特別に大掛かりな取付装置を必要とすることなく、手作業でも容易に取り付けることができる。
【００３５】
しかも、ＩＣタグ４の左・右側部片7b,7cは弾性力を有しているため、嵌合・取付状態を良好に確保することができる。
【００３６】
この際、発泡スチロール製の容器本体１の側壁1aの上端部1bに嵌合させて取り付けたＩＣタグ４の先端部を、同側壁1a側に押し付けるだけで、同ＩＣタグ４の先端部に設けた楔状の係止片7d,7dを、側壁1aに食い込ませて係止させることができるため、同ＩＣタグ４を係止片7d,7dを介して容器本体１に確実に係止することができる。
【００３７】
このように、既存の容器本体１にＩＣタグ４を必要に応じて適宜、確実に取り付けることができると共に、ドライバー等の工具を用いることにより、ＩＣタグ４を容器本体１から容易に取り外すこともできて、同ＩＣタグ４を再使用することができる。その結果、包装容器Ａの製造コストの削減を図ることができる。
【００３８】
そして、上記ＩＣチップ５は容器本体１の内方に位置させて取り付けておくことにより、包装容器Ａを搬送している際に、包装容器Ａ,Ａ同士が衝突したり、他物が当ったりした場合でも、ＩＣチップ５自体は確実に保護することができる。
【００３９】
その結果、ＩＣチップ５に予め書き込んだ包装容器Ａ内の商品に関する貴重な固有情報を、読取装置８により読み取ることができて、包装容器Ａ内の商品のトレーサビリティ等を行うことができる。
【００４０】
また、図３に示すように、ＩＣチップ５を設けていない右側片7cは、容器本体１の表面に露出しているため、同右側片7cに向けて読取装置８より読み出し信号を発信することにより、確実に情報データを読み取ることができる。
【００４１】
また、ＩＣタグ４の取付位置は、容器本体１の側壁1aに限らず、図４に示すように、蓋体３の側端縁部3bに取り付けることもできる。
【００４２】
この場合、中央部片7aは、蓋体３の側端縁部3bの肉厚と略同一に形成して、ＩＣチップ５が蓋体３の内面側に位置するように取り付けることができる。
【００４３】
そして、図５に示すように、ＩＣチップ５を設けていない中央部片7aは、蓋体３の側端面に露出しているため、同中央部片7aに向けて読取装置８より読み出し信号を発信することにより、確実に情報データを読み取ることができる。
【００４４】
次に、第２実施形態としての包装容器Ａについて、図６及び図７を参照しながら説明する。
【００４５】
〔第２実施形態としての包装容器Ａの説明〕
第２実施形態としての包装容器Ａは、基本的構造を前記した第１実施形態としての包装容器Ａと同じくしているが、ＩＣタグ４の取付形態と形状において異なる。
【００４６】
すなわち、第２実施形態としての包装容器Ａは、容器本体１内にシート状の覆い体９を配置し、同覆い体９の略中央部に扁平シート状に形成したＩＣタグ４を取り付けている。
【００４７】
ここで、覆い体９の右側縁部9aは、容器本体１の内周面上部に形成した嵌合用段付き凹部1cに貼設して、同覆い体９の略中央部に取り付けているＩＣタグ４が位置ずれしないようにしている。10は保護シートである。
【００４８】
このようにして、包装容器Ａ内に収容した鮮魚Ｆ等の商品の上面を保護シート10により覆うと共に、同保護シート10上をシート状の覆い体９により覆うことにより、同覆い体９の略中央部に取り付けたＩＣタグ４を包装容器Ａ内の所要の位置に配置することができて、図７に示すように、同ＩＣタグ４のＩＣチップ５に予め書き込んだ包装容器内の商品に関する貴重な固有情報を、読取装置８により確実に読み取ることができて、包装容器Ａ内の鮮魚Ｆ等の商品のトレーサビリティ等を行うことができる。
【図面の簡単な説明】
【００４９】
【図１】本考案に係る第１実施形態としてのＩＣタグ付き包装容器の斜視説明図。
【図２】ＩＣタグの斜視図。
【図３】容器本体に取り付けたＩＣタグの情報読み取り作業説明図。
【図４】蓋体の斜視図。
【図５】蓋体に取り付けたＩＣタグの情報読み取り作業説明図。
【図６】本考案に係る第２実施形態としてのＩＣタグ付き包装容器の斜視説明図。
【図７】覆い体に取り付けたＩＣタグの情報読み取り作業説明図。
【符号の説明】
【００５０】
Ａ  包装容器
Ｆ  鮮魚
１  容器本体
1a  側壁
1b  上端部
1c  嵌合用段付き凹部
２  上面開口部
３  蓋体
3a  嵌合用段付き凸部
3b  側端縁部
４  ＩＣタグ
５  ＩＣチップ
６  アンテナ
７  被覆体
7a  中央部片
7b  左側部片
7c  右側部片
7d  係止片
８  読取装置
９  覆い体
9a  右側縁部
10  保護シート
【図１】
0003106148.tif 000003
【図２】
0003106148.tif 000004
【図３】
0003106148.tif 000005
【図４】
0003106148.tif 000006
【図５】
0003106148.tif 000007
【図６】
0003106148.tif 000008
【図７】
0003106148.tif 000009